(57)【要約】【課題】  チャック下方に位置する剥離性の粘着帯層の粘着強度の高め、開口部側からの剥離を容易にし、かつ袋体内部からの剥離を防止した合成樹脂製袋体を提供する。【解決手段】  開口部２に開閉可能なチャック３を備え、このチャック３より下方に剥離性の粘着帯層４による密閉手段を前記チャック３と平行して設けた合成樹脂製の袋体１において、前記粘着帯層４のチャック３側端縁を粘着部５と非粘着部６とが連続して併合した凹凸形状とし、前記粘着帯層４の剥離力を開口部側からは弱く、袋体内部からは強くした。【選択図】        図１
2007168881.tif 000002
【特許請求の範囲】
【請求項１】
開口部に開閉可能なチャックを備え、このチャックより下方に剥離性の粘着帯層による密閉手段を前記チャックと平行して設けた合成樹脂製袋体において、前記粘着帯層のチャック側端縁を粘着部と非粘着部とが連続して併合した凹凸形状とし、前記粘着帯層の剥離力を開口部側からは弱く、袋体内部からは強くしたことを特徴とする合成樹脂製袋体。
【請求項２】
粘着帯層の凹凸形状を袋体の幅方向全体若しくは部分的に形成したことを特徴とする請求項１に記載の合成樹脂製袋体。
【発明の詳細な説明】
【技術分野】
【０００１】
本発明は、袋体の開口部を再開閉するための雌雄咬合型チャックと、このチャックの下方に剥離性の粘着帯層による密閉手段を備えた合成樹脂製袋体に関するものである。
【背景技術】
【０００２】
図４で示すように袋体１の開口部２に開閉可能なチャック３を備え、このチャック３より下方に剥離性の粘着帯層８による密閉手段を前記チャック３と平行して設けた合成樹脂製袋体が提供されている。
【０００３】
前記粘着帯層８による密閉手段の目的は、チャック３が開いた状態であっても袋体内を気密状態を維持することや袋体内の包入物が液体あるいは水物の場合に液体が外部に浸出することを防止することである。
【０００４】
しかしながら、粘着帯層８による密閉手段は、いわゆるベタシールであり、強力な粘着力を有する粘着帯層８では、袋体内から外部への液体の浸出防止機能を有しているが、図５で示すように、開口部２側からの粘着帯層８の剥離はチャック３側の端縁線上の粘着面積が大きい全面となるため開口部２側からの粘着帯層８の剥離は容易ではないという問題を有する。
【０００５】
開口部２側からの粘着帯層８の剥離を容易にするには、粘着帯層８の粘着強度を１．０〜１．５ｋｇ／１５ｍｍとすることにより満足するが、粘着帯層８の両端のサイドシールとの重なり部分及び内容物側からの強度に対しては不足であり、従って、内容物の種類、重量、充填率等が限定されてしまう欠点がある。この欠点を解消するには粘着帯層８の粘着強度を２．０〜２．５ｋｇ／１５ｍｍ以上とすることで満足するが、上記のような問題を有することになる。
【特許文献１】実公昭６２−３８９２０公報
【特許文献２】特開平２−２４２７４８公報
【特許文献３】実開平６−１４０４４公報
【発明の開示】
【発明が解決しようとする課題】
【０００６】
本発明は、チャック下方に位置する剥離性の粘着帯層の粘着強度を高め、開口部側からの剥離を容易にし、かつ袋体内部からの剥離を防止した合成樹脂製袋体を提供することである。
【課題を解決するための手段】
【０００７】
上記の課題を解決するための本発明は、請求項１に記載の通り、開口部に開閉可能なチャックを備え、このチャックより下方に剥離性の粘着帯層による密閉手段を前記チャックと平行して設けた合成樹脂製袋体において、前記粘着帯層のチャック側端縁を粘着部と非粘着部とが連続して併合した凹凸形状とし、前記粘着帯層の剥離力を開口部側からは弱く、袋体内部からは強くしたことを特徴とするものである。
【０００８】
請求項２に記載の通り、前記粘着帯層の凹凸形状を袋体の幅方向全体若しくは部分的に形成したことを特徴とするものである。
【発明の効果】
【０００９】
本発明によると、剥離性の粘着帯層の粘着強度を高しても、内容物を出し入れする開口の際に粘着帯層が弱い力で剥離することができ、開口部の開口操作を円滑とし、袋体内部からの内容物による剥離を確実に防止を可能とした効果を有している。
【発明を実施するための最良の形態】
【００１０】
以下本発明を実施するための最良の形態を図面に基づいて説明する。図１において１は合成樹脂製の袋体であり、その開口部２には再開閉するための雌雄咬合型チャック３と、該チャック３より下方に剥離性の粘着帯層４による密閉手段を備えている。
【００１１】
本発明は、上記粘着帯層４のチャック３側端縁を粘着部５と非粘着部６とが連続して併合した凹凸形状とし、前記粘着帯層４の剥離力を開口部側からは弱く、袋体内部からは強くしたことを特徴とするものである。
【００１２】
前記粘着帯層４のチャック３側端縁を粘着部５と非粘着部６とが連続して併合した凹凸形状は、図１で例示するように鋸刃状あるいは図３（Ａ）で示すように連続した曲線山状又は図３（Ｂ）で示すように歯車の歯形状等が適当である。
【００１３】
また、前記粘着帯層４の凹凸形状は、袋体の幅方向全体に形成してもよいし、袋体の幅方向に部分的に形成してもよい。
【００１４】
前記粘着帯層４は、イージピール樹脂又はイージピールテープあるいは、それに準じた加工方法によるのものであり、２．０〜２．５ｋｇ／１５ｍｍ以上の高い粘着強度を確保するよう設定する。
【００１５】
本発明は上記の通りの構造であるから、粘着帯層４の剥離力は開口部側からは弱く、袋体内部からは強い状態となる。その根拠は、粘着帯層４のチャック３側端縁を粘着部５と非粘着部６とが併合した凹凸形状であるため、開口部側から剥がす瞬間は凹凸形状の頂点より剥離開始される。例えば、図１及び図２で示すように、凹凸形状が鋸刃状の場合、図２で示すように、粘着層面積が極めて小さい三角形の頂点７から剥離が開始される。従って、簡単に剥離のきっかけができ、弱い力で剥離し容易に開口することができる。
【００１６】
また、粘着帯層４の袋体内側の端縁は、粘着層面大きい線で剥離力を受けるため、チャック３側の端縁よりも高い強度が保持され内容物や内容物に含有する油性分などの液体の浸透による毛細現象による剥離を防止する。
【００１７】
従って、袋体１内の包入物が液体あるいは水物の場合に液体が外部に浸出することを確実に防止することができる上に、粘着帯層４の両端のサイドシールとの重なり部分の強度が十分に得られ、内容物の種類、重量、充填率等を限定することなく包入することができる。また、構造も簡単であり、この種の従来の袋体における問題点を改善した効果大なる袋体を直ちに実現することが可能である。
【産業上の利用可能性】
【００１８】
本発明の袋体１は、上記のような液体や水物ので包入物の包入に適しているが、液体や水物以外の粉体や微粒体、その他各種の包入商品を包入する袋体にも適用することもできる。
【図面の簡単な説明】
【００１９】
【図１】本発明による袋体の要部の正面図
【図２】本発明による粘着帯層の剥離原理の説明図
【図３】粘着帯層の凹凸形状例を示す図
【図４】従来の粘着帯層を備えた袋体の要部の正面図
【図５】従来の粘着帯層の不具合の説明図
【符号の説明】
【００２０】
１      袋体
２      開口部
３      チャック
４      粘着帯層
５      粘着部
６      非粘着部
７      三角形の頂点
【図１】
2007168881.tif 000003
【図２】
2007168881.tif 000004
【図３】
2007168881.tif 000005
【図４】
2007168881.tif 000006
【図５】
2007168881.tif 000007